(57)【要約】【課題】  機器本体に対する着脱操作を簡易にさせる。【解決手段】  着脱装置６は、ピン５０に回動可能に保持される回動部材７０を有する内装部材８と、内装部材８が挿入可能なケース１０を有する外装部材７と、を備え、回動部材７０は、ケース１０のガイド溝１７に摺接可能に挿入される複数のガイド部７２を有し、ケース１０は、複数のガイド溝１７と、ガイド溝１７の間に設けられる複数のストッパーカム１６とを有し、内装部材８は、回動部材７０のガイド部７２がケース１０のガイド溝１７から離脱し、ケース１０のストッパーカム１６に係合する第一の動作と、回動部材７０のガイド部７２がケース１０のストッパーカム１６から離脱し、ケース１０のガイド溝１７に位置する第二の動作と、を行うように構成され、第一の動作により外装部材７に取り付けられるとともに、第二の動作により外装部材７から取り外される。【選択図】  図４
2016123564.tif 000002
【特許請求の範囲】
【請求項１】
ピンと、前記ピンに回動可能に保持される第一回動部材と、前記ピンの一方の端部と前記第一回動部材との間に設けられ前記ピンに回動可能に保持される第二回動部材と、を有する内装部材と、前記内装部材が挿入可能な開口を有する外装部材と、を備え、
前記第一回動部材は、前記第一回動部材の外周面から突出する複数のガイド部を有し、
前記第二回動部材は、前記第二回動部材の外周面から突出する複数のガイド部を有し、
前記外装部材は、前記ケースの一方の端部から延在する複数のガイド溝と、前記ガイド溝の間に設けられ前記外装部材の内周面から突出する複数のストッパーカムと、を有し、
前記内装部材は、前記第一回動部材のガイド部および前記第二回動部材のガイド部が前記ケースのガイド溝に位置するアンロック状態から前記第二回動部材のガイド部が前記ケースのガイド溝から離脱し、前記第二回動部材のガイド部が前記ケースのストッパーカムに係合するロック状態となる第一の動作と、前記ロック状態から前記第二回動部材のガイド部が前記ケースのストッパーカムから離脱し、前記第一回動部材のガイド部および前記第二回動部材のガイド部が前記ケースのガイド溝に位置する前記アンロック状態となる第二の動作と、を行うことを特徴とする着脱装置。
【請求項２】
前記ケースのガイド溝は、前記ケースの一方の端部に位置する先端溝と、前記先端溝に連通し前記回動部材のガイド部に摺接する摺接溝と、を有し、
前記先端溝は、前記ケースの一方の端部に向けて幅が大きくなることを特徴とする請求項１に記載の着脱装置。
【請求項３】
前記第一回動部材のガイド部は、前記第一回動部材の一方の端部に位置する先端片と、前記先端片に接続され前記ケースのガイド溝に摺接する摺接片と、を有し、
前記先端片は、前記第一回動部材の一方の端部に向けて幅が小さくなることを特徴とする請求項１または請求項２に記載の着脱装置。
【請求項４】
前記第二回動部材のガイド部は、前記第二回動部材の一方の端部に位置する先端片と、前記先端片に接続され前記ケースのガイド溝に摺接する摺接片と、を有し、
前記先端片は、前記第二回動部材の一方の端部に向けて幅が小さくなることを特徴とする請求項１から請求項３のいずれか１項に記載の着脱装置。
【請求項５】
前記外装部材は、前記ケースの内側に保持され凹状の開口部が形成されるブッシュを有し、
前記内装部材は、前記ピンの一方の端部に設けられ前記ブッシュの開口部に嵌合する嵌合部を有し、
前記第二の動作時に前記嵌合部が前記開口部に嵌合することを特徴とする請求項１から請求項４のいずれか１項に記載の着脱装置。
【請求項６】
請求項１から請求項５のいずれか１項に記載の着脱装置と、
前記外装部材または前記内装部材のいずれか一方に連結されるダンパケースを有し、当該ダンパケースに回転軸が挿入されるとともに粘性液が充填されるロータリーダンパと、を備えることを特徴とするヒンジ装置。
【発明の詳細な説明】
【技術分野】
【０００１】
本発明は着脱装置、および、それを用いたヒンジ装置に関し、機器本体に対する着脱操作を簡易にさせる場合に好適なものである。
【背景技術】
【０００２】
機器本体と蓋とを回動可能に軸支するヒンジ装置には、当該本体と蓋とを着脱可能とするものがある。下記特許文献１には、トイレの便器に対して便座および便蓋を着脱可能とする着脱機構が記載されている。この着脱機構は、便器に取り付けられるべき固定部と、便座および便蓋に取り付けられるヒンジ装置に設けられる着脱部とから成る。固定部には、周方向に沿って溝が形成されたピンが設けられている。一方、着脱部は、ケースと、ケース内に配置されケースに対しスライド可能なシャフトと、シャフトを所定の方向に付勢するばねと、シャフトをばねの付勢力に逆らって押し込むボタンとを有する。ケースには、当該ピンが挿入される挿入孔が形成されている。
【０００３】
便座および便蓋を便器に取り付ける際には、固定部のピンをケースの挿入孔に挿入する。このとき、ピンを押し込む力により、シャフトがばねの付勢力に逆らってスライドする。そして、ピンとシャフトとが所定の位置関係となると、ばねの付勢力によりシャフトが元の方向に押し戻され、ピンに形成された溝にシャフトの一部分が入り込む。こうして、挿入孔に挿入されたピンがロックされ、固定部と着脱部とが互いにロックされる。
【０００４】
一方、便座および便蓋を便器から取り外すため固定部と着脱部とを外す際には、上記ボタンをばねの付勢力に逆らって押しこむ。するとピンの溝に入り込んでいるシャフトの一部が溝から外れる。このため、ピンのロック状態が解除され、ピンを挿入孔から抜き取ることが可能となる。こうして、固定部から着脱部を取り外すことができる。
【先行技術文献】
【特許文献】
【０００５】
【特許文献１】欧州特許出願公開第２３２４７４５号明細書
【発明の概要】
【発明が解決しようとする課題】
【０００６】
しかし、特許文献１に開示される着脱装置は、便座および便蓋を便器から取り外す場合、ユーザは、ボタンをばねの付勢力に逆らって押し込みながら、ピンに形成された溝に入り込んだシャフトを外すことになる。すなわち、ボタンを押す操作と、ピンを挿入孔から抜きとる操作との双方が強いられることになるため、機器本体に対する着脱操作が簡易とはいえない状況と考えられる。
【０００７】
そこで、本発明は、機器本体に対する着脱操作を簡易にさせ得る着脱装置、および、それを用いたヒンジ装置を提供することを目的とする。
【課題を解決するための手段】
【０００８】
上記課題を解決するため本発明の着脱装置は、ピンと、前記ピンに回動可能に保持される第一回動部材と、前記ピンの一方の端部と前記第一回動部材との間に設けられ前記ピンに回動可能に保持される第二回動部材と、を有する内装部材と、前記内装部材が挿入可能な開口を有する外装部材と、を備え、前記第一回動部材は、前記第一回動部材の外周面から突出する複数のガイド部を有し、前記第二回動部材は、前記第二回動部材の外周面から突出する複数のガイド部を有し、前記外装部材は、前記ケースの一方の端部から延在する複数のガイド溝と、前記ガイド溝の間に設けられ前記外装部材の内周面から突出する複数のストッパーカムと、を有し、前記内装部材は、前記第一回動部材のガイド部および前記第二回動部材のガイド部が前記ケースのガイド溝に位置するアンロック状態から前記第二回動部材のガイド部が前記ケースのガイド溝から離脱し、前記第二回動部材のガイド部が前記ケースのストッパーカムに係合するロック状態となる第一の動作と、前記ロック状態から前記第二回動部材のガイド部が前記ケースのストッパーカムから離脱し、前記第一回動部材のガイド部および前記第二回動部材のガイド部が前記ケースのガイド溝に位置する前記アンロック状態となる第二の動作と、を行うことを特徴とする。
【発明の効果】
【０００９】
このような着脱装置によれば、ユーザによって内装部材が外装部材に挿入された場合に、第一回動部材のガイド部および第二回動部材のガイド部がケースのガイド溝に位置するアンロック状態となる。その後、ユーザによって内装部材が外装部材に押圧された場合に、この押圧操作により、アンロック状態から第二回動部材のガイド部がケースのストッパーカムに係合するロック状態となり、内装部材が外装部材に取り付けられる。一方、ユーザによって内装部材が外装部材に再押圧された場合に、この再押圧操作により、ロック状態からアンロック状態となり、内装部材が外装部材から取り外される。このため、内装部材が外装部材に押圧される操作、および再押圧される操作により、アンロック状態とロック状態とを繰り返し、内装部材を外装部材に着脱することが可能になる。
【００１０】
したがって、ユーザによる押圧操作、および再押圧操作により、内装部材を外装部材に着脱することができる。このため、ユーザに対して内装部材の押圧操作以外の操作を強いらせる必要がなくなる。こうして、機器本体に対する着脱操作を簡易にさせ得る着脱装置、および、それを用いたヒンジ装置が提供されることとなる。
【図面の簡単な説明】
【００１１】
【図１】着脱装置を用いた便座および便蓋を示す図である。
【図２】図１のロータリーダンパの断面図である。
【図３】図１の着脱装置の斜視図である。
【図４】図３の着脱装置の分解図である。
【図５】外装部材のケースの斜視図である。
【図６】第一回動部材および第二回動部材の斜視図である。
【図７】外装部材のケースの展開図である。
【発明を実施するための形態】
【００１２】
以下、本発明に係る着脱装置、および、それを用いたヒンジ装置の好適な実施形態について図面を参照しながら詳細に説明する。
【００１３】
図１は、着脱装置を用いた便座および便蓋を示す図である。図１に示すように、便座１および便蓋２は、ヒンジ装置４ａ，４ｂを有する。ヒンジ装置４ａは、ロータリーダンパ５ａと、当該ロータリーダンパ５ａが取り付けられる着脱装置６とを備える。一方、ヒンジ装置４ｂは、ロータリーダンパ５ｂと、当該ロータリーダンパ５ｂが取り付けられる着脱装置６とを備える。
【００１４】
ロータリーダンパ５ａとロータリーダンパ５ｂとは、互いに同じ構成のトルク発生部６１を備えるが、ロータリーダンパ５ａの回転軸６２ａとロータリーダンバ５ｂの回転軸６２ｂとは互いに異なる部位に固定される。すなわち、ロータリーダンパ５ａの回転軸６２ａは便蓋２に固定され、ロータリーダンバ５ｂの回転軸６２ｂは便座１に固定される。なお、本実施形態では便座１と一体に便座ブラケット１Ａが形成されており、当該便座ブラケット１Ａに回転軸６２ｂが固定される。
【００１５】
ロータリーダンパ５ａが取り付けられる着脱装置６と、ロータリーダンバ５ｂが取り付けられる着脱装置６とは互いに同じ構成とされる。各々の着脱装置６に対して、不図示の便器に固定される着脱装置６が装着されることで、便座１および便蓋２がそれぞれのヒンジ装置４ａ，４ｂにより便器に軸支される。
【００１６】
図２は、図１のロータリーダンパ５ａの断面図である。図２に示すように、ロータリーダンパ５ａのトルク発生部６１のダンパケース６６内には回転軸６２ａが挿入されている。そして、ダンパケース６６と回転軸６２ａとの間には粘性の液体が充填されている。このため、ダンパケース６６に対し回転軸６２ａが回転すると当該液体のせん断抵抗が生じる。こうしてトルク発生部６１は、回転軸６２ａを軸支し、回転軸６２ａが回転する際に所定の回転抵抗を付与する。この回転軸６２ａは便蓋２に固定されているため、当該便蓋２が回転軸６２ａの中心軸を基準に回動する場合には回転軸６２ａが便蓋２と共に回転する。一方、トルク発生部６１は、便蓋２に対して回転軸６２ａを介して固定されている。従って、トルク発生部６１が着脱装置６を介して便器に固定された状態で、上記のように便蓋２が便器に対して回動しても、トルク発生部６１は回転せず、回転軸６２ａがトルク発生部６１に対して回転する。このときトルク発生部６１は回転軸６２ａに回転抵抗を与えるため、回転軸６２ａが固定される便蓋２は回転抵抗を受ける。こうして、便蓋２は、所定の抵抗を受けながら便器に対して開閉する。なお、回転軸６２ａは、上記のように便座１にも回動可能に軸支されてはいるものの、当該便座１には固定されていない。このため、回転軸６２ａは便座１に対して空回転し、当該便座１の回動に対してトルク発生部６１の回転抵抗が付与されない。
【００１７】
ロータリーダンパ５ａのトルク発生部６１が回転軸６２ａを軸支する構成と同様にして、ロータリーダンパ５ｂ（図１）のトルク発生部６１は回転軸６２ｂ（図１）を軸支する。従って、回転軸６２ｂは、トルク発生部６１に対して回転する際に所定の回転抵抗を付与する。この回転軸６２ｂは便座ブラケット１Ａに固定されているため、当該便座１が回転軸６２ｂの中心軸を基準に回動する場合には回転軸６２ｂが便座１と共に回転する。一方、トルク発生部６１は、便座１に対して回転軸６２ｂを介して固定されている。従って、トルク発生部６１が着脱装置６を介して便器に固定された状態で、上記のように便座１が便器に対して回動しても、トルク発生部６１は回転せず、回転軸６２ｂがトルク発生部６１に対して回転する。このときトルク発生部６１は回転軸６２ｂに回転抵抗を与えるため、回転軸６２ｂが固定される便座１は回転抵抗を受ける。こうして、便座１は、所定の抵抗を受けながら便器に対して開閉する。なお、回転軸６２ｂは、上記のように便蓋２にも回動可能に軸支されてはいるものの、当該便蓋２には固定されていない。このため、回転軸６２ｂは便蓋２に対して空回転し、当該便蓋２の回動に対してトルク発生部６１の回転抵抗が付与されない。
【００１８】
図３は、図１の着脱装置６の斜視図であり、図４は、図３の着脱装置６の分解図である。図３および図４に示すように、着脱装置６は、外装部材７と、外装部材７に着脱可能に保持される内装部材８とを備えている。外装部材７は、図示しない便器に例えばネジ７ａによって固定される。また、内装部材８は、ダンパケース６６に例えばネジ８ａによって固定される。なお、内装部材８を外装部材７に着脱する場合の内装部材８の移動方向をＺ方向として図示する。
【００１９】
外装部材７は、内装部材８が挿入可能な開口を有するケース１０と、ケース１０に保持されるブッシュ２０と、ケース１０に固定される取り付け部３０と、ブッシュ２０と取り付け部３０との間に設けられる弾性部材としてのバネ４０とを備えている。
【００２０】
図５は、外装部材７のケース１０の斜視図である。なお、図５においては、理解容易のため、外装部材７のケース１０の外表面を破線で示している。図５に示すように、ケース１０は、ケース１０の他方の端部に設けられる保持部１１と、ケース１０の一方の端部に設けられる案内部１２と、保持部１１と案内部１２との間に設けられる中間部１３とを備えている。案内部１２は、ケース１０の内周方向に設けられる複数の凸部１４と、この凸部１４の間に設けられる複数の凹部１５とを備えている。保持部１１は、取り付け部３０が嵌合する円柱状の開口を有しており、中間部１３は、ブッシュ２０が嵌合する円柱状の開口を有している。
【００２１】
案内部１２の各凸部１４は、ケース１０の一方の端部から長手方向に延在する２つの突片によって形成され、各突片の先端は斜めに傾斜している。この突片は、ブッシュ２０に対向するカム面を有し、このカム面によってストッパーカム１６が構成されている。また、案内部１２の各凹部１５は、各凸部１４の間に設けられ、ケース１０の一方の端部から長手方向に延在する溝によって形成されている。この溝は、内装部材８をＺ方向に案内する案内溝を形成し、この案内溝によってガイド溝１７が構成されている。
【００２２】
ブッシュ２０は、凹状の開口を形成する開口部２１と、開口部２１の端面に設けられる周縁部２２と、開口部２１の反対側に設けられ、バネ４０を保持する保持部２３とを備えている。なお、ブッシュ２０は、摺動性の高い樹脂材料によって構成されることが好ましい。また、ブッシュ２０の外径は、ケース１０の中間部１３の内径よりも小さく形成されている。これにより、ブッシュ２０は、中間部１３に摺接するとともに、保持部１１と案内部１２との間を移動する。
【００２３】
図４に示すように、取り付け部３０は、ケース１０の保持部１１に嵌合する嵌合端３１と、図示しない便器に対し固定される固定端３２とを備えている。この固定端３２は、例えばネジによって構成されているが、これに限らず、図示しない便器に固定されるものであればよく、圧入、カシメ、止め輪等を利用することにより便器に固定される。
【００２４】
バネ４０は、例えば圧縮コイルスプリングによって構成され、この圧縮コイルスプリングの一端が取り付け部３０の先端面に当接するとともに、他端がブッシュ２０の保持部２３に当接する。これにより、ブッシュ２０は、保持部１１から案内部１２に向かって付勢され、中間部１３をＺ方向に摺動する。したがって、ケース１０に挿入された内装部材８は、ブッシュ２０およびバネ４０によってＺ方向に付勢される。
【００２５】
内装部材８は、軸状のピン５０と、ピン５０に回動可能に保持される第一回動部材６０と、ピン５０の先端と第一回動部材６０との間に設けられ、ピン５０に回動可能に保持される第二回動部材７０と、ピン５０の先端に設けられるブッシュ８０とを備えている。
【００２６】
ピン５０は、ダンパケース６６に固定される固定部５１と、ブッシュ８０が係止される係止部５２と、固定部５１と係止部５２との間に位置し、第一回動部材６０および第二回動部材７０を回動可能に保持する滑動部５３とを備えている。このピン５０の滑動部５３は、第一回動部材６０および第二回動部材７０を軸方向に直列配置した場合の全長よりも長くなるように形成されている。また、ピン５０の滑動部５３は、第一回動部材６０および第二回動部材７０の内径よりも外径が小さくなるように形成されている。
【００２７】
ブッシュ８０は、ピン５０に係止される円柱状の部材であり、第一回動部材６０および第二回動部材７０がピン５０から抜けないように支持している。なお、ブッシュ８０は、ピン５０の係止部５２に係止されていればよく、圧入、カシメ、止め輪等を利用することによりピン５０の係止部５２に係止される。このブッシュ８０は、ブッシュ２０の開口部２１の内径よりも外径が小さくなるように形成されている。なお、ブッシュ８０は、摺動性の高い樹脂材料によって形成されることが好ましい。また、ブッシュ８０は、ブッシュ２０の開口部に嵌合するように構成されている。この構成により、外装部材７と内装部材８との結合部位のガタつきを防止することが可能になる。
【００２８】
図６は、第一回動部材６０および第二回動部材７０の斜視図である。図６に示すように、第一回動部材６０は、筒状の本体部６５と、本体部６５の一方の端部に設けられる円筒端面カム６１と、第一回動部材６０の外周面に沿って等間隔に設けられる複数のガイド部６２とを有している。この第一回動部材６０は、ケース１０の中間部１３の内径よりも外径が小さくなるように形成され、ピン５０の外径よりも内径が大きくなるように形成されている。なお、本実施形態においては、第一回動部材６０のガイド部６２は、それぞれ３ヶ所に形成され、１２０度の間隔をもって配置されているが、ケース１０のガイド溝１７に対応する位置に形成されていればよく、形成される数および位置は任意である。
【００２９】
円筒端面カム６１は、本体部６５の先端、すなわち第二回動部材７０に対向する端面に形成される山形のカム面によって構成されている。なお、本実施形態において、カム面とは、直動方向の移動を回動方向の移動に変換するためのものであればよく、山形に限らず、波型等の連続する凹凸状に形成されていればよい。
【００３０】
第一回動部材６０のガイド部６２は、ガイド部６２の先端に位置する第一先端片６３と、第一先端片６３に接続され、ケース１０のガイド溝１７に摺接可能かつ直動可能に挿入される第一摺接片６４とを備えている。このガイド部６２は、第一回動部材６０の軸方向に対し水平方向に延在する突起である。また、ガイド部６２は、ケース１０のガイド溝１７よりも幅が小さくなるように形成されており、ケース１０のガイド溝１７よりも高さが小さくなるように形成されている。また、ガイド部６２は、ケース１０のガイド溝１７よりも長さが小さくなるように形成されているが、ガイド部６２がケース１０のガイド溝１７に対し直動可能に形成されていればよく、ガイド部６２の長さは任意である。
【００３１】
第一先端片６３は、Ｃ面、Ｒ面等の面取り加工が施されることにより、第一摺接片６４に対し幅が小さくなるように形成されている。この構成により、第一回動部材６０がケース１０に挿入される場合に第一回動部材６０のガイド部６２がケース１０のガイド溝１７に挿入され易くなり、ケース１０のガイド溝１７に第一回動部材６０のガイド部６２を位置決めする操作が容易になる。
【００３２】
第二回動部材７０は、筒状の本体部７５と、本体部７５の一方の端部に設けられる円筒スライドカム７１と、第二回動部材７０の外周面に沿って等間隔に設けられる複数のガイド部７２とを有している。この第二回動部材７０は、ケース１０の中間部１３の内径よりも外径が小さくなるように形成され、ピン５０の外径よりも内径が大きくなるように形成されている。なお、本実施形態においては、第二回動部材７０のガイド部７２は、それぞれ３ヶ所に形成され、１２０度の間隔をもって配置されているが、ケース１０のガイド溝１７に対応する位置に形成されていればよく、形成される数および位置は任意である。
【００３３】
円筒スライドカム７１は、本体部７５の後端、すなわち第一回動部材６０に対向する端面に形成される山形のカム面によって構成されている。なお、本実施形態において、カム面とは、直動方向の移動を回動方向の移動に変換するためのものであればよく、山形に限らず、波型等の連続する凹凸状に形成されていればよい。また、本実施形態においては、ガイド部７２が円筒スライドカム７１の一部を形成しているが、これに限らず、ガイド部７２の後端部が傾斜していればよく、この傾斜面によってカム面を構成してもよい。
【００３４】
第二回動部材７０のガイド部７２は、ガイド部７２の先端に位置する第二先端片７３と、第二先端片７３に接続され、ケース１０のガイド溝１７に摺接可能かつ直動可能に挿入される第二摺接片７４とを備えている。このガイド部７２は、第二回動部材７０の軸方向に対し水平方向に延在する突起である。また、ガイド部７２は、ケース１０のガイド溝１７よりも幅が小さくなるように形成されており、ケース１０のガイド溝１７よりも高さが小さくなるように形成されている。また、ガイド部７２は、ケース１０のガイド溝１７よりも長さが小さくなるように形成されているが、ガイド部７２がケース１０のガイド溝１７に対し直動可能に形成されていればよく、ガイド部７２の長さは任意である。
【００３５】
第二先端片７３は、Ｃ面、Ｒ面等の面取り加工が施されることにより、第二摺接片７４に対し幅が小さくなるように形成されている。この構成により、第二回動部材７０がケース１０に挿入される場合に第二回動部材７０のガイド部７２がケース１０のガイド溝１７に挿入され易くなり、ケース１０のガイド溝１７に第二回動部材７０のガイド部７２を位置決めする操作が容易になる。
【００３６】
第二回動部材７０は、円筒スライドカム７１が円筒端面カム６１に噛み合う第一の状態において、第二回動部材７０のガイド部７２が第一回動部材６０のガイド部６２に対し直列せず、円周方向に位相がずれるように位置する。また、円筒スライドカム７１が円筒端面カム６１に噛み合わない第二の状態において、第二回動部材７０のガイド部７２が第一回動部材６０のガイド部６２に対し直列し、円周方向に位相がそろうように位置する。
【００３７】
図７は、外装部材７のケース１０の展開図であり、図７（ａ）は、外装部材７に内装部材８が挿入されたときの展開図であり、図７（ｂ）は、外装部材７に内装部材８が取り付けられたときの展開図であり、図７（ｃ）は、外装部材７から内装部材８が取り外されたときの展開図である。
【００３８】
図７（ａ）に示すように、第二回動部材７０は、第二回動部材７０のガイド部７２がケース１０のガイド溝１７に沿って取り付け方向に直動する場合に、円筒スライドカム７１が円筒端面カム６１に噛み合わない第二の状態を構成する。この第二の状態において、第二回動部材７０のガイド部７２および第一回動部材６０のガイド部６２が直列し、ケース１０のガイド溝１７に位置するアンロック状態となる。このアンロック状態から第二回動部材７０のガイド部７２がケース１０のガイド溝１７に沿って直動し、ケース１０のガイド溝１７から離脱および円周方向に回動する。
【００３９】
また、図７（ｂ）に示すように、第二回動部材７０は、第二回動部材７０のガイド部７２がケース１０のストッパーカム１６に係合する場合に、円筒スライドカム７１が円筒端面カム６１に噛み合わない第二の状態を構成する。この第二の状態において、第二回動部材７０のガイド部７２および第一回動部材６０のガイド部６２が直列せず、第二回動部材７０のガイド部７２がケース１０のストッパーカム１６に係合するロック状態となる。このように、第二回動部材７０のガイド部７２がケース１０のストッパーカム１６に係合する係合動作により、内装部材８をＺ方向に固定する、すなわち内装部材８を外装部材７に対し取り付けることが可能になる。なお、本実施形態において、係合動作は、アンロック状態からロック状態となる第一の動作を構成する。
【００４０】
また、図７（ｃ）に示すように、第二回動部材７０は、第二回動部材７０のガイド部７２がケース１０のガイド溝１７に沿って取り外し方向に直動する場合に、円筒スライドカム７１が円筒端面カム６１に噛み合わない第二の状態を構成する。この第二の状態において、第二回動部材７０のガイド部７２および第一回動部材６０のガイド部６２が直列し、ケース１０のガイド溝１７に位置するアンロック状態となる。このアンロック状態から第二回動部材７０のガイド部７２がケース１０のガイド溝１７に沿って直動し、ケース１０のストッパーカム１６から離脱する。このように、第二回動部材７０のガイド部７２がケース１０のストッパーカム１６から離脱する離脱動作により、内装部材８をＺ方向に移動する、すなわち内装部材８を外装部材７から取り外すことが可能になる。なお、本実施形態において、離脱動作は、ロック状態からアンロック状態となる第二の動作を構成する。
【００４１】
次に、着脱装置６を介し、便座１および便蓋２を便器に対し取り付ける場合における着脱装置６の動作に関して説明する。
【００４２】
まず、ロータリーダンパ５ａ、５ｂに回動可能に軸支される便座１および便蓋２がユーザによって把持され、便座１および便蓋２が便器側に下ろされ、着脱装置６の内装部材８が、ブッシュ８０、第二回動部材７０、第一回動部材６０の順に外装部材７に挿入される。このとき、第一回動部材６０のガイド部６２および第二回動部材７０のガイド部７２がケース１０のガイド溝１７に挿入されることにより、第一回動部材６０および第二回動部材７０がケース１０に位置決めされ、第一回動部材６０および第二回動部材７０の回動動作が規制される。
【００４３】
次いで、便座１および便蓋２が便器側にさらに下ろされ、第一回動部材６０および第二回動部材７０が挿入方向に移動すると、ブッシュ８０が外装部材７のブッシュ２０に嵌合する。このとき、第二回動部材７０が外装部材７のブッシュ２０に押圧されることにより、第一回動部材６０および第二回動部材７０が両端から押圧力を受けながら、ケース１０のガイド溝１７に沿って挿入方向に移動する。これにより、第一回動部材６０のガイド部６２および第二回動部材７０のガイド部７２がケース１０のガイド溝１７に沿って直動する。
【００４４】
次いで、第二回動部材７０のガイド部７２がケース１０のガイド溝１７の端部に移動すると、第二回動部材７０のガイド部７２がケース１０のガイド溝１７から離脱するとともに、第二回動部材７０の円筒スライドカム７１が第一回動部材６０の円筒端面カム６１に噛み合うことにより、第二回動部材７０に円周方向の回動力が付与され、第二回動部材７０のガイド部７２がケース１０のストッパーカム１６に沿って円周方向に回動する。これにより、第二回動部材７０のガイド部７２がケース１０のガイド溝１７から離脱および回動し、ケース１０のストッパーカム１６に係合する。
【００４５】
このように、第二回動部材７０のガイド部７２がケース１０のストッパーカム１６に係合することにより、内装部材８をＺ方向に固定する、すなわち内装部材８を外装部材７に取り付けることが可能になる。
【００４６】
次に、着脱装置６を介し、便座１および便蓋２を便器から取り外す場合における着脱装置６の動作に関して説明する。
【００４７】
まず、ロータリーダンパ５ａ、５ｂに回動可能に軸支される便座１および便蓋２がユーザによって把持され、便座１および便蓋２が便器側に下ろされると、第一回動部材６０および第二回動部材７０が両端から押圧力を受けながら、第一回動部材６０がケース１０のガイド溝１７に沿って軸線方向に移動するとともに、第二回動部材７０がケース１０のストッパーカム１６に沿って円周方向に回動する。これにより、第二回動部材７０のガイド部７２がケース１０のストッパーカム１６から回動および離脱し、ケース１０のガイド溝１７に沿って直動する。
【００４８】
このように、第二回動部材７０のガイド部７２がケース１０のガイド溝１７から回動および離脱し、ケース１０のガイド溝１７に沿って直動することにより、内装部材８をＺ方向に移動可能にする、すなわち内装部材８を外装部材７から取り外すことが可能になる。  そして、離隔動作から、挿入動作、係合動作、および離隔動作を繰り返すことにより、内装部材８の着脱動作を繰り返すことが可能になる。したがって、外装部材７に対し内装部材８のピン５０、第一回動部材６０、第二回動部材７０、およびブッシュ８０を一体に着脱することが可能になる。
【００４９】
以上説明したように、本実施形態の着脱装置６によれば、ユーザによる押圧操作、および再押圧操作により、内装部材を外装部材に着脱することができる。このため、本実施形態の着脱装置６によれば、ユーザに対して内装部材の押圧操作以外の操作を強いらせる必要がなくなる。こうして、機器本体に対する着脱操作を簡易にさせ得る着脱装置６、および、それを用いたヒンジ装置４ａおよび４ｂが提供されることとなる。
【００５０】
以上、本発明が上記実施形態を例として説明されたが、当該実施形態に限定されるものではない。
【００５１】
例えば、上記実施形態では、外装部材７が便器に対し固定され、内装部材８がダンパケース６６に対し固定されるが、外装部材７および内装部材８の上下を逆にして、内装部材８が便器に対し固定され、外装部材７がダンパケース６６に対し固定されるように構成してもよい。
【００５２】
また、上記実施形態では、第一回動部材６０のガイド部６２を案内するための浅いガイド溝が、この深いガイド溝１７の間にさらに形成されてもよく、この場合、浅いガイド溝および深いガイド溝１７の両方に対し第一回動部材６０のガイド部６２を位置決めことができ、位置決めする操作が容易になる。
【００５３】
また、上記実施形態では、内装部材８がダンパケース６６にネジによって固定されているが、これに限らず、内装部材８がダンパケース６６に直動可能に保持されてもよい。この場合、内装部材８の後端に押し込み式のボタン等を設けることにより、ユーザが便座１および便蓋２を把持し、便座方向に下ろす必要がなくなり、当該ボタンを押下することにより、内装部材８の着脱動作を行うことが可能になる。
【符号の説明】
【００５４】
１・・・便座
２・・・便蓋
４ａ，４ｂ・・・ヒンジ装置
５ａ，５ｂ・・・ロータリーダンパ
６・・・着脱装置
７・・・外装部材
８・・・内装部材
１０・・・ケース
２０・・・ブッシュ
３０・・・取り付け部
４０・・・バネ
５０・・・ピン
６０・・・第一回動部材
７０・・・第二回動部材
８０・・・ブッシュ
【図１】
2016123564.tif 000003
【図２】
2016123564.tif 000004
【図３】
2016123564.tif 000005
【図４】
2016123564.tif 000006
【図５】
2016123564.tif 000007
【図６】
2016123564.tif 000008
【図７】
2016123564.tif 000009